(57)【特許請求の範囲】
【請求項１】
建物の開口部に取付ける上枠、下枠、左右の縦枠を有し、
前記左右の縦枠と前記上枠の少なくとも室外側、室内側にそれぞれホロー部を備え、
前記左右の縦枠と前記上枠の躯体への取付け面側における室内外方向の中心よりずれた位置に、それぞれ外方向に突出する取付け片を備え、
前記左右の縦枠と前記上枠の前記取付け片を除いた部分の室内外の断面形状が室内外方向の中心線を挟んでほぼ対称形をなし、
前記左右の縦枠と前記上枠の室内外方向の向きを反転させることにより、前記左右の縦枠および前記上枠の室外側の面と前記取付け片との距離が変更され、もって１種の縦枠と上枠とを、前記取付け片の室外側に施工される外装材の厚物仕上げと薄物仕上げに兼用可能とした
ことを特徴とする建物開口部材。
【請求項２】
請求項１に記載の建物開口部材において、
前記左右の縦枠の端部に嵌合するキャップは、前記縦枠と前記上枠の取付け片の端部に一部を当てる鍔部と、前記縦枠端部の前記室内外のホロー部に嵌合する２つの嵌合部とを有し、
前記左右の縦枠と前記上枠と前記キャップの全体を反転させることにより、１種のキャップを厚物仕上げと薄物仕上げに兼用可能とした
ことを特徴とする建物開口部材。
【請求項３】
建物の開口部に取付ける上枠、下枠、左右の縦枠を有する建物開口部材を施工する方法において、
前記左右の縦枠と前記上枠の少なくとも室外側、室内側にそれぞれホロー部を設け、
前記左右の縦枠と前記上枠の躯体への取付け面側における室内外方向の中心よりずれた位置に、それぞれ外方向に突出する取付け片を設け、
前記左右の縦枠と前記上枠の前記取付け片を除いた部分の室内外の断面形状を室内外方向の中心線を挟んでほぼ対称形とし、
外装材の施工を厚物仕上げで行うかまたは薄物仕上げで行うかに対応して、前記左右の縦枠と前記上枠の室内外方向の向きを選択することにより、前記左右の縦枠および前記上枠の室外側の面と前記取付け片との距離を選択して躯体への取付けを行い、もって１種の縦枠と上枠を厚物仕上げおよび薄物仕上げに兼用する
ことを特徴とする建物開口部材の施工方法。
【請求項４】
請求項３に記載の建物開口部材の施工方法において、
前記左右の縦枠の端部に嵌合するキャップに、前記縦枠と前記上枠の取付け片の端部に一部を当てる鍔部と、前記縦枠端部の前記室内外のホロー部に嵌合する２つの嵌合部とを設け、
前記左右の縦枠と前記上枠と前記キャップの全体の室内外方向の向きを選択して躯体への取付けを行うことにより、１種のキャップを厚物仕上げと薄物仕上げに兼用する
ことを特徴とする建物開口部材の施工方法。
【発明の詳細な説明】
【０００１】
【発明の属する技術分野】
本発明は、比較的簡易に施工される嵌め殺し窓、引き違い戸あるいは窓等として構成される半外付け式の建物開口部材とその施工方法に関する。
【０００２】
【従来の技術】
例えばコンビニエンスストア等の店舗等のように、比較的簡易、迅速に施工される建物開口部材は、アルミニウム合金製等の押出形材でなる上下枠、左右の縦枠を鉄骨等で組まれた建物開口部形成部（躯体）に固定し、これらの枠内に嵌め殺し窓を構成するパネルや引き違い障子や戸を取付けて構成される。
【０００３】
前記上下枠や縦枠は、これらの枠の障子取付け側と反対側の取付け面（見込み面）に突出させた取付け片を鉄骨等の躯体部材にねじ等の固定具により固定し、前記取付け片の室外側の面に金属サイディング等の外装材を固定して取付けられる。この外装材を施工する場合、現場の状況、例えば前記躯体と外装材との間に断熱材を介在させるか否かあるいは外装材の幅等により、建物開口部材の枠の室外側面が外装材の室外側の面から突出する幅が異なることになる。
【０００４】
従来はこのような現場における施工構造の相違にかかわらず、前記各枠の前記取付け片の室内外方向の位置を一定に設定した構造とするか、あるいは外装材の室外側の面からの枠の室外側面の突出幅（出幅）をなるべく小さくして美観の劣化を防止するために、前記取付け片の室内外方向の位置が異なる２種類の枠を準備したものがある。
【０００５】
【発明が解決しようとする課題】
上述のように、現場における施工構造の相違にかかわらず、枠の取付け片の室内外方向の位置を一定に設定して共通に使用するものは、鉄骨等でなる躯体と外装材の室外側の面との間隔が最大となるものを想定して取付け片の位置が設定されているため、この間隔が狭い施工現場においては、枠が室外側に突出しすぎて美観上好ましくない場合が生じてくる。
【０００６】
一方、枠に設ける取付け片の室内外方向の位置が異なる２種類の枠を準備し、現場の状況に応じて枠を選択して施工する構造のものは、メーカーとして２種類の枠の製造設備を備え、管理しなければならないために価格の上昇を招き、また、施工業者は、２種類の枠のいずれかを買い入れて施工しなければならず、やはり管理が煩雑になるという問題点があった。
【０００７】
本発明は、上述のように比較的簡易、迅速に施工される建物開口部材として、部品の兼用が可能となり、もって製造設備の簡略化、価格低減、管理の容易化の面で有利となる建物開口部材とその施工方法を提供することを目的とする。
【０００８】
【課題を解決するための手段】
請求項１の建物開口部材は、建物の開口部に取付ける上枠、下枠、左右の縦枠を有し、
前記左右の縦枠と前記上枠の少なくとも室外側、室内側にそれぞれホロー部を備え、
前記左右の縦枠と前記上枠の躯体への取付け面側における室内外方向の中心よりずれた位置に、それぞれ外方向に突出する取付け片を備え、
前記左右の縦枠と前記上枠の前記取付け片を除いた部分の室内外の断面形状が室内外方向の中心線を挟んでほぼ対称形をなし、
前記左右の縦枠と前記上枠の室内外方向の向きを反転させることにより、前記左右の縦枠および前記上枠の室外側の面と前記取付け片との距離が変更され、もって１種の縦枠と上枠とを、前記取付け片の室外側に施工される外装材の厚物仕上げと薄物仕上げに兼用可能とした
ことを特徴とする。
【０００９】
請求項２の建物開口部材は、請求項１に記載の建物開口部材において、
前記左右の縦枠の端部に嵌合するキャップは、前記縦枠と前記上枠の取付け片の端部に一部を当てる鍔部と、前記縦枠端部の前記室内外のホロー部に嵌合する２つの嵌合部とを有し、
前記左右の縦枠と前記上枠と前記キャップの全体を反転させることにより、１種のキャップを厚物仕上げと薄物仕上げに兼用可能とした
ことを特徴とする。
【００１０】
請求項３の建物開口部材の施工方法は、建物の開口部に取付ける上枠、下枠、左右の縦枠を有する建物開口部材を施工する方法において、
前記左右の縦枠と前記上枠の少なくとも室外側、室内側にそれぞれホロー部を設け、
前記左右の縦枠と前記上枠の躯体への取付け面側における室内外方向の中心よりずれた位置に、それぞれ外方向に突出する取付け片を設け、
前記左右の縦枠と前記上枠の前記取付け片を除いた部分の室内外の断面形状を室内外方向の中心線を挟んでほぼ対称形とし、
外装材の施工を厚物仕上げで行うかまたは薄物仕上げで行うかに対応して、前記左右の縦枠と前記上枠の室内外方向の向きを選択することにより、前記左右の縦枠および前記上枠の室外側の面と前記取付け片との距離を選択して躯体への取付けを行い、もって１種の縦枠と上枠を厚物仕上げおよび薄物仕上げに兼用する
ことを特徴とする。
【００１１】
請求項４の建物開口部材の施工方法は、請求項３に記載の建物開口部材の施工方法において、
前記左右の縦枠の端部に嵌合するキャップに、前記縦枠と前記上枠の取付け片の端部に一部を当てる鍔部と、前記縦枠端部の前記室内外のホロー部に嵌合する２つの嵌合部とを設け、
前記左右の縦枠と前記上枠と前記キャップの全体の室内外方向の向きを選択して躯体への取付けを行うことにより、１種のキャップを厚物仕上げと薄物仕上げに兼用する
ことを特徴とする。
【００１２】
【発明の実施の形態】
図１は本発明による建物開口部材の一実施の形態である嵌め殺し窓を示す横断面図、図２はその縦断面図である。図１、図２において、１は鉄骨でなる左右の縦材、２、３はそれぞれ鉄骨でなる上材、下材であり、これらにより建物開口部の躯体を構成する。４は建物開口部材である嵌め殺し窓であり、５はその左右の縦枠、６、７はそれぞれその上枠、下枠である。これらの枠５〜７はアルミニウム合金製押出形材でなる。縦枠５および上枠６にはパネル９ののみ込み部１０、１１を有し、パネル９の両端がこののみ込み部１０に嵌め込まれて装着される。また、図１に示すように、左右の縦枠５には室内側、室外側にそれぞれホロー部５ａ、５ｂを有する。また、図２に示すように、上枠６には室内側、室外側にそれぞれホロー部６ａ、６ｂを有する。下枠７は、パネル９をスペーサ１２上に載せ、室外側から取付ける押縁１３によりパネル９の下端を固定する。
【００１３】
１４は内装材、１５は嵌め殺し窓４と内装材１４との間を塞ぐ化粧パネル、１６は外装材、１７は外装材１６と枠５〜７との間の隙間を塞ぐコーキング材である。
【００１４】
押縁１３は通常の建物開口部材においては室内側に設けられるが、コンビニエンスストア等においては、嵌め殺し窓４の室内側に販売品等の棚を設置することが多いため、棚等がパネル９の交換の邪魔になるので、室外側から交換しやすくするため、また、雨水を室外側に流下させる構造を押縁１３に採用するため、この種の嵌め殺し窓の押縁１３は室外側に設ける。
【００１５】
しかして、縦枠５、上枠６、下枠７の躯体１〜３への取付け面側に、それぞれ外方向に突出する取付け片１９、２０、２１をそれぞれ備える。縦枠５および上枠６は、その取付け片１９、２０を室内外方向の中心ののみ込み部１０、１１、すなわち室内外方向の中心（Ｓは中心線である）よりずれた位置に設けられる。また、下枠７は、室内側に突出して設けた取付け片２２を除いた部分の室内外方向の中心部にパネル９の支持部が設けられる。左右の縦枠５と上枠６は、前記取付け片１９、２０を除いた部分の室内外の断面形状が、室内外方向の中心線Ｓを挟んでほぼ対称形をなす。下枠７は押縁１３を有する関係上、前述した理由で室内外方向に対称形とはしない。
【００１６】
この嵌め殺し窓４は、取付け片１９〜２０を固定具２３によって鉄骨でなる躯体１〜３に固定することにより取付けられる。図１、図２の場合は、取付け片１９〜２０に金属サイディング等の外装材１６を直接取付ける例について示している。この場合は、取付け片１９〜２１から外装材１６の表面までの距離ｔ１（図１参照）は小さく、薄物仕上げであるので、縦枠５、上枠６は取付け片１９、２０が縦枠５、上枠６の室内外方向の中心線より室外側に位置するような向きに選択して組み、また、下枠７はその取付け片２１がこれらの取付け片１９、２０の対応位置にあるものを選択する。そして取付け片２１、２２を躯体３に固定具２３により固定する。
【００１７】
一方、図３の横断面図および図４の縦断面図に示すように、内装材１４と外装材１６との間に断熱材を入れる等のために間隔を必要とする等のため、取付け片１９〜２１と外装材１６との間にスペーサ２４を入れる必要がある場合、あるいは外装材１６の厚みが大であり、厚物仕上げであるので、取付け片１９〜２１と外装材１６の室外側面との間の距離ｔ２は大となる。この場合は、縦枠５の上下の向きと、上枠６の左右の向きを反転させることにより、取付け片１９、２０はこれらの室内外方向の中心より室内側に位置することになり、この場合にも、縦枠５、上枠６は室内外方向の中心を挟んで対称形をなすので、互いに上枠６に設けるタッピングホール６１、６２を利用して組み立てることができる。また、下枠７は、取付け片２６がこれらの取付け片１９、２０に対応した位置、すなわち室内側よりに設けられたものを選択する。
【００１８】
この構成によれば、縦枠５、上枠６に共通のものを使用し、施工現場に合わせて上下、左右反転することで、外装材１６の室外側までの出幅ａ（図１の場合）と出幅ｂ（図３の場合）を常に小さくすることができ、美観の劣化を損ねることはない。また、部材の種類を少なくすることができ、メーカーおよび施工業者にとって製造、価格、管理、運用上有利となる。
【００１９】
図５、図６は本発明を建物開口部材としての引き違い窓に適用した参考例をそれぞれ示す横断面図、縦断面図である。この建物開口部材は、前述と同様に縦枠５Ａ、上枠６Ａ、下枠７Ａの躯体への取付け面側に、それぞれ外方向に突出する取付け片１９Ａ、２０Ａ、２１Ａを備える。各取付け片１９Ａ、２０Ａ、２１Ａは室内外方向の中心よりずれた位置に設けられる。また、縦枠５Ａ、６Ａ、７Ａは前記取付け片１９Ａ〜２１Ａを除いた部分の室内外の断面形状が室内外方向の中心線を挟んでほぼ対称形をなす。また、左右の縦枠５Ａ、上枠６Ａ、下枠７Ａにより組まれた枠内に、引き違い障子（または戸）２７、２８が開閉自在に組み込まれてなる。
【００２０】
このような構成とすれば、躯体１〜３から枠５Ａ〜７Ａの室外側面までの出幅に応じて、縦枠５Ａは上下反転し、上枠６Ａ、下枠７Ａは左右の向きを反転することにより、前述と同様に取付け片１９Ａ〜２１Ａの室内外方向の位置を変え、これにより外装材１６の室外側面から枠５Ａ〜７Ａの室外側面までの出幅を小さくすることができ、美観の劣化を防止することができる。また、この例の場合は、縦枠５Ａや上枠６Ａのみならず、下枠７Ａも兼用できるから、製造、価格、管理、運用の面でさらに有利となる。
【００２１】
図７、図８、図９はそれぞれ図１ないし図４に示した嵌め殺し窓４の下枠７において、取付け片のみの位置を変えることにより、下枠７の兼用化を図り、経済化を達成したものである。
【００２２】
図７（Ａ）、（Ｂ）の例は、下枠７の取付け片２２を除いた部分について、室内外方向の中心より室内側に取付け片２９を下方に突出させて一体に設け、この取付け片２９のコーナー部に切断溝３０を設け、また、下枠７の下面の室外側に、取付け片２９固定のための取付け部３１を形成しておき、前記躯体１〜３から外装材１６の室外側面までの出幅が大きい場合は、この取付け片２９を切断することなく使用し、前記出幅が小さい場合は、図７（Ａ）の二点鎖線に示すように、この取付け片２９を切断溝３０の部分からＬ字形に切断して前記取付け部３１に固定具３２により固定してこの取付け片２９を躯体３に固定するようにしたものである。
【００２３】
図８（Ａ）、（Ｂ）の例は、下枠７の取付け片２２を除いた部分の室内外方向の中心より室内外方向にそれぞれずれた位置に取付け片３３、３４を設け、各取付け片３３、３４にはその根元部に切断溝３５、３６を設けて切断可能としたものである。この場合、前記躯体３と下枠７の室外側面との間の出幅を大きく設定する必要がある場合は、下枠３の室内側取付け片３３をそのまま使用し、室外側取付け片３４は邪魔になれば必要に応じて切断する。躯体３の下枠３の室外側面との間の出幅を狭く設定する場合は、室内側取付け片３３を溝３５の部分で切断してその取付け位置より室外側に設けられている取付け片３４を利用して固定具３７により下枠７を躯体３に取付ける。
【００２４】
図９の例は、下枠７の下面に、取付け片２２を除いた部分の室内外方向の中心より室内外方向にそれぞれずれた位置に取付け金具３８の取付け部３９、４０を設け、取付け金具３８の固定具４１による取付け位置を、実線で示すように、取付け部３９とするか、あるいは二点鎖線で示すように、室外側取付け部４０とするかにより、該取付け金具３８を室内外方向の異なる位置に取付け可能とし、この取付け金具３８を利用して躯体３への取付けを行うことにより、躯体３から下枠７の室外側面までの出幅に応じた下枠取付けの位置調整が行えるようにしたものである。
【００２５】
図１０ないし図１２は本発明を実施する場合の縦枠５の上端、下端に設ける雨水浸入や通気防止等のためのキャップ４４、４５の好ましい形態を示すものである。図３および図１１に示すように、縦枠５の室内外の同形をなすホロー部５ａ、５ｂにはそれぞれタッピングホール５２、５３を有する。該キャップ４４、４５は、図１０に示すように、左右の縦枠５の上端、下端にそれぞれ取付けられる。これらのキャップ４４、４５は合成樹脂製のもので、図１１に示すように、縦枠５の室内外の同形をなすホロー部５ａ、５ｂにそれぞれ嵌まる同形の嵌合部４４ａ、４４ｂを有し、かつ室内外方向の中心部４９より室内外方向にずれた位置、すなわち縦枠５の取付け片１９の上端や上枠６の取付け片２０の端部に重なる位置に、鍔部４４ｃを設けたものである。鍔部４４ｃにはそれぞれ取付け片１９との重なり部４４ｄと取付け片２０または２１との重なり部４４ｅとを有する。また、キャップ４４、４５を縦枠５に嵌合させた際の雨水浸入や通気をより良好に防止するために、キャップ４４、４５と縦枠５とが嵌合する部分や重なり部４４ｄ、４４ｅには軟質の発泡体等を材料とした防水シーラー５７〜５９が貼られている。図１０に示すキャップ４５はキャップ４４と対称形をなす。
【００２６】
これらのキャップ４４、４５は、図１０に示すように、取付け片１９、２０から縦枠５、上枠６の室外側の面までの出幅が大きい場合、図１１、図１２（Ａ）に示すように、キャップ４４は嵌合部４４ａ、４４ｂをそれぞれホロー部５ａ、５ｂに嵌合して取付け片１９、２０の室外側から取付け、タッピングねじ５０、５１をキャップ４４の孔４４ｆ、４４ｇに通してタッピングホール５２、５３にねじ込むことにより固定する。図１０の右下にも同形のキャップ４４を下側から同様に取付け片１９、２１の室外側よりこれらに鍔部４４ｃを重ねて取付ける。キャップ４４と対称形をなす他のキャップ４５は、図１０の右上、左下に示すように、取付け片１９、２０、２１の室外側から同様に取付ける。
【００２７】
一方、取付け片１９、２０、２１から縦枠５〜７の取付け面までの出幅が小さい場合は、図１０に示すキャップ４４、４５は、縦枠５、上枠６を含めて全体を反転させればよい。図１２（Ｂ）はその反転させた構造の一部を室外側から見た図であり、キャップ４５は室内側から取付け片１９、２０に重なるように取付けられる。
【００２８】
このようなキャップ４４、４５の構造とすることにより、キャップ４４、４５を出幅の大きい場合と小さい場合とで兼用することができる。
【００２９】
図１３は本発明によるキャップの他の例を示すもので、本例のキャップ５５は、取付け片１９、２０からの縦枠５、６の出幅の長い寸法に合わせて形成され、かつ出幅の短い場合に切断して縦枠５に取付けるための切断溝５５ａを有する。また、該キャップ５５は、室内側、室外側に設けたホロー部５ａまたは５ｂに嵌合する嵌合部５５ｂ、５５ｃを下面に突出させて設けている。また、キャップ５５の鍔部５５ｄは、該鍔部５５ｄからキャップ５５の室外側の端部５５ｃまでの距離が、このキャップ５５を図示実線で示すように、取付け片１９から縦枠５の室外側の面５ｃまでの出幅にほぼ等しくなるように設定される。鍔部５５ｄには、取付け片１９、２０または１９、２１に重なる部分５５ｅ、５５ｆを有する。
【００３０】
このキャップ５５は、実線で示すように、取付け片１９から縦枠５の室外側の面５ｃまでの出幅が大きい状態で取付ける場合は、キャップ５５は切断溝５５ａで切断せず、嵌合部５５ｃをホロー部５ｂに嵌合し、タッピングねじ（固定具）５６をキャップ５５の孔５５ｇに通してタッピングホール５３に螺合することにより取付ける。また、縦枠５の上下反転あるいは左右付け替えにより、取付け片１９が二点鎖線で示すように縦枠５の中心より室外側に位置する場合は、切断溝５５ａで切断し、嵌合部５５ｂをホロー部５ｂに嵌合し、タッピングねじ５６をキャップ５５の孔５５ｈに通してタッピングホール５３にねじ込むことによって取付ける。
【００３１】
このようなキャップ５５の構造とすることにより、キャップ５５を出幅の大きい場合と小さい場合とで兼用することができる。
【００３２】
以上本発明を実施の形態により説明したが、本発明を実施する場合、躯体１〜３、縦枠５、上枠６、下枠７、取付け片１９〜２０、１９Ａ〜２１Ａ、取付け金具３７、キャップ４４、４５、５５等の具体的な形状、構造は上記実施の実施の形態以外に種々に変更できる。
【００３３】
【発明の効果】
請求項１、３の発明によれば、躯体から枠の室外側面までの出幅が異なる薄物仕上げと厚物仕上げについて、縦枠、上枠を兼用することができる。従って、従来のように縦枠や上枠について２種の断面構造のものを容易する場合に比較して、製造設備の簡略化、価格低減、管理の容易化の面で有利となる。
【００３４】
請求項２、４の発明によれば、前記出幅が異なっても、縦枠に設けるキャップを兼用できるので、製造設備の簡略化、価格低減、管理の容易化の面でさらに有利となる。
【図面の簡単な説明】
【図１】本発明による建物開口部材の一実施の形態である嵌め殺し窓を示す横断面図である。
【図２】図１の縦断面図である。
【図３】図１、図２の嵌め殺し窓を出幅が異なる場合について示す横断面図である。
【図４】図３の縦断面図である。
【図５】本発明による建物開口部材の参考例である引き違い窓を示す横断面図である。
【図６】図５の縦断面図である。
【図７】（Ａ）は本発明による下枠の一例を示す端面図、（Ｂ）はその部分拡大図である。
【図８】（Ａ）は本発明による下枠の他の例を示す端面図、（Ｂ）はその部分拡大図である。
【図９】本発明による下枠の他の例を示す端面図である。
【図１０】本発明によるキャップの取付け構造の一例を示す斜視図である。
【図１１】図１０のキャップの取付け構造を拡大して示す分解斜視図である。
【図１２】（Ａ）、（Ｂ）は図１０、図１１のキャップの取付け構造を出幅を異ならせて示す斜視図である。
【図１３】本発明によるキャップの取付け構造の他の例を示す分解斜視図である。
【符号の説明】
１〜３：躯体、４：嵌め殺し窓、５、５Ａ：縦枠、５ａ、５ｂ：ホロー部、６、６Ａ：上枠、６ａ、６ｂ：ホロー部、７、７Ａ：下枠、７ａ、７ｂ：ホロー部、９：パネル、１０、１１：のみ込み部、１２：スペーサ、１３：押縁、１４：内装材、１６：外装材、１９〜２１、１９Ａ〜２１Ａ、２２、２６：取付け片、２３：固定具、２７、２８：引き違い障子、２９：取付け片、３０：切断溝、３１：取付け部、３２：固定具、３３、３４：取付け片、３５、３６：切断溝、３８：取付け金具、３９、４０：取付け部、４４、４５：キャップ、４４ａ、４４ｂ：嵌合部、４４ｃ：鍔部、４４ｄ、４４ｅ：重なり部、５０、５１：タッピングねじ、５２、５３：タッピングホール、５５：キャップ、５５ａ：切断溝、５５ｂ、５５ｃ：嵌合部、５５ｄ：鍔部、５６：タッピングねじ、５７〜５９：防水シーラー
【図１】
0004099280.tif 000002
【図２】
0004099280.tif 000003
【図３】
0004099280.tif 000004
【図４】
0004099280.tif 000005
【図５】
0004099280.tif 000006
【図６】
0004099280.tif 000007
【図７】
0004099280.tif 000008
【図８】
0004099280.tif 000009
【図９】
0004099280.tif 000010
【図１０】
0004099280.tif 000011
【図１１】
0004099280.tif 000012
【図１２】
0004099280.tif 000013
【図１３】
0004099280.tif 000014